(57)【要約】【課題】コントローラボックスの組付作業効率の向上と、かご室の上面スペースの効率的な利用を図る。【解決手段】コントローラボックス１６の本体部１７を、かご枠１１の上部フレーム１５の下面側にスライド自在に取り付け、上部フレーム１５がコントローラボックス１６の壁の一部を成すようにした。かご枠１１の組付時にコントローラボックス１６を上部フレーム１５と一体化しておくことができるため、コントローラボックス１６を別途かご室１２の上面に取り付ける行程が不用となる。また、コントローラボックス１６が上部フレーム１５と一体化されるため、かご室１２の上面には他部品の設置や保守・点検作業時の足場として利用できるフリースペースができる。【選択図】　図１
2004083146.tif 000002
【特許請求の範囲】
【請求項１】
かご室を支えるかご枠が、かご室の底面を支持する下部フレームと、この下部フレームの両側部から上方に垂立する一対の側部フレームと、この一対の側部フレームをかご室の上方側で連結する上部フレームと、を備えた構成とされる一方、かご室の上面側に、電動機制御のための制御盤を収容するコントローラボックスが配置されたエレベータのかごにおいて、
前記コントローラボックスを上部フレームと一体化して、上部フレームがコントローラボックスの壁の一部を成すようにしたことを特徴とするエレベータのかご。
【請求項２】
制御盤を載置するコントローラボックスの本体部を、上部フレームに対してスライド自在に取り付けたことを特徴とする請求項１に記載のエレベータのかご。
【請求項３】
前記上部フレームを、かご室のドア開閉部側に偏寄させて配置したことを特徴とする請求項１または２に記載のエレベータのかご。
【請求項４】
前記上部フレームと、同フレームに取り付けられるコントローラボックスの本体部とによって閉断面を形成すると共に、上部フレームとコントローラボックスの本体部を剛的に結合したことを特徴とする請求項１または３に記載のエレベータのかご。
【発明の詳細な説明】
【０００１】
【発明の属する技術分野】
この出願の発明は、ロープ等によって昇降作動されるエレベータのかごに関する。
【０００２】
【従来の技術】
エレベータのかごは、通常、図６，図７に示すようにかご室１を取り囲むようにかご枠２が配置され、このかご枠２によってかご室１が支持されている。かご枠２は、かご室１の底面を支持する図示しない下部フレームと、この下部フレームの両側部から上方に垂立する一対の側部フレーム３，４と、この側部フレーム３，４をかこ室１の上方側で連結する上部フレーム５と、を備えた構成とされている。また、かご室１の上面６にはコントローラボックス７が固定設置され、そのボックス７の内部に、ドア開閉用の電動機を制御するための制御盤（図示せず）が収容されている。
【０００３】
【発明が解決しようとする課題】
しかし、従来のエレベータのかごは、かご枠２を組み立て、そのかご枠２にかご室１の構成部材を組み付けた後に、かご室１の上面にコントローラボックス７を固定設置しなければならないため、現場での組付工数が多く、組付作業効率が悪いことが問題となっている。
【０００４】
また、従来のエレベータのかごの場合、コントローラボックス７をかご枠２の上部フレーム５と干渉しない位置に設置しなければならないため、かご室１の上面における部品のレイアウトが難しいうえ、保守・点検時に作業者が乗るかご室２の上面６のスペースがコントローラボックス７によって狭められ、保守・点検作業の支障となっていた。
【０００５】
そこでこの出願の発明は、コントローラボックスの組付作業効率の向上と、かご室の上面スペースの効率的な利用を図ることのできるエレベータのかごを提供しようとするものである。
【０００６】
【課題を解決するための手段】
上述した課題を解決するための手段として、この出願の発明は、かご室を支えるかご枠が、かご室の底面を支持する下部フレームと、この下部フレームの両側部から上方に垂立する一対の側部フレームと、この一対の側部フレームをかご室の上方側で連結する上部フレームと、を備えた構成とされる一方、かご室の上面側に、電動機制御のための制御盤を収容するコントローラボックスが配置されたエレベータのかごにおいて、前記コントローラボックスを上部フレームと一体化して、上部フレームがコントローラボックスの壁の一部を成すようにした。
【０００７】
この発明の場合、かご枠の組付時にコントローラボックスを上部フレームと一体化しておくことができるため、コントローラボックスを別途かご室の上面に取り付ける行程が不用となる。また、コントローラボックスが上部フレームと一体化されるため、かご室の上面にはコントローラボックスを設置するための特別なスペースを確保する必要も無くなる。
【０００８】
制御盤を載置するコントローラボックスの本体部は、上部フレームに対してスライド自在に取り付けるようにしても良い。この場合、コントローラボックスの本体部を上部フレームからスライドさせて引き出すことにより、制御盤の点検や交換等を容易に行うことができる。したがって、コントローラボックスをかご室の上面に直接設置する場合に比較して点検・作業性が向上する。
【０００９】
また、上部フレームは、かご室のドア開閉部側に偏寄させて配置することが望ましい。この場合、コントローラボックスからドア開閉機構部までの距離が短くなり、両者の間にコネクタ部を介在させることなく両者を直接接続することが可能となる。したがって、コネクタ部を覆うジャンクションボックスをかご室の上面に設置する必要がなくなることから、かご室の上面のフリースペースがより拡大され、部品配置のレイアウトの自由度が広がると共に、点検・作業時の足場をより大きく確保することが可能となる。
【００１０】
さらにまた、上部フレームと、同フレームに取り付けられるコントローラボックスの本体部とによって閉断面を形成し、上部フレームとコントローラボックスの本体部を剛的に結合するようにしても良い。この場合、コントローラボックスの本体部を上部フレームに結合したことにより、上部フレームが閉断面構造となって強度が増すため、部品点数の増加を招くことなく上部フレームの補強が可能になると共に、上部フレーム自体の形状の簡素化も可能となる。即ち、上部フレームにはバンパが付設されており、非常時の突き上げ荷重をそのバンパを介して上部フレームで受け止めるようになっているが、通常、上部フレームは突き上げ衝撃に対する強度を高めるために複雑な断面形状となっている。しかし、上記のようにコントローラボックスによって上部フレームを補強した場合には、複雑な断面形状を採る必要がなくなり、形状の簡素化による製造コストの削減が可能となる。
【００１１】
【発明の実施の形態】
次に、この出願の発明の一実施形態を図１〜図３に基づいて説明する。
【００１２】
この実施形態のエレベータのかごは、かご枠１１が、かご室１２の下面（プラットフォームの下面）を支持する図示しない下部フレーム（ブランク）と、そのフレームの両側から上方に垂立する一対の側部フレーム１３，１４（アップライト）と、かご室１２の上方側で両側部フレーム１３，１４を連結する上部フレーム１５（クロスヘッド）と、を備えた構成とされ、かご室１２の前面側に図示しないドアと、そのドアを開閉操作する電動機を含む図示しないドア開閉機構とが組み付けられている。そして、かご枠１１はかご室１２に対してドア開閉部側に偏寄して設置され、上部フレーム１５がドア開閉機構に近接している。
【００１３】
上部フレーム１５は基本断面が下向きに開口するコ字状断面に形成され、その長手方向略中央の下面に、電動機制御用の制御盤２１（図２参照）を収容するコントローラボックス１６の本体部１７が取り付けられている。コントローラボックス１６は、本体部１７が上方に開口するコ字状断面に形成されると共に、その本体部１７の上面側が上部フレーム１５によって覆われ、本体部１７と上部フレーム１５とによって筐体構造が構成されている。
【００１４】
この実施形態の場合、図２に示すように、本体部１７の両側部には幅方向に亙って延出するガイドシュー１８が設けられ、上部フレーム１５の下面にはこのガイドシュー１８を受容する一対のガイドチャンネル１９が取り付けられている。そして、本体部１７のガイドシュー１８は上部フレーム１５の対応するガイドチャンネル１９に摺動自在に係合され、本体部１７が上部フレーム１５に対して前方側からスライド開閉可能となっている。また、本体部１７と上部フレーム１５の間には、本体部１７が引き出されたときにオン作動する図示しないスイッチが設けられ、このスイッチのオン作動によってかご室１２の上部の図示しない非常灯が点灯するようになっている。この非常灯は保守・点検作業時に作業者の手元や足元を照らすためのものであり、その点灯によって作業を容易にすると共に作業時の安全性を高める。
【００１５】
図３は、かごが最上昇位置まで上昇したときにおける、かごと昇降路上部の模式的な側面図であり、同図に示すように、上部フレーム１５と昇降路上部のオーバーヘッドビーム２０とは、かごの前後方向でオフセットするように設置されている。オーバーヘッドビーム２０には昇降ロープを吊り下げ支持するため滑車が設置されているが、この滑車も含めたビーム２０部分とかご室１２の上面の間には、充分な離間距離（法規格値以上の離間距離）が確保されている。従来では、このビーム２０の直下位置に図７に示すようにコントローラボックス（７）が配置されていたが、この実施形態のかごにおいては、この位置にコントローラボックス１６がない分ビーム２０自体の絶対高さを低くすることができる。したがって、この構造を採用した場合には、住宅等の建造物の昇降路高さを低く抑えることができる。
【００１６】
以上構造を述べたように、この実施形態のかごは、上部フレーム１５がコントローラボックス１６の上壁を成すようにコントローラボックス１６と上部フレーム１５とを一体化したため、上部フレーム１５とコントローラボックス１６で必要とする板金材料を少なくして製造コストの削減と軽量化を図ることができると共に、以下に述べるようにかごの組立て工数を削減することができる。
【００１７】
即ち、かごの組立てに当たっては、まず、かご枠１１を組み付け、このとき上部フレーム１５には予めコントローラボックス１６の本体部１７を取り付けておく。この後にかご室１２の構成部材をかご枠１１内に組付け、かご室１２の前方にドアとドア開閉機構を組付ける。そして、最後にドア開閉機構の電動機とコントローラボックス１５内の制御盤２１を配線コードによって接続する。したがって、このかごの組立てにおいては、従来、かご室１２の組付け後に行っていたかご室１２上面へのコントローラボックス１６の設置行程が必要無くなり、その分組立て行程が削減される。
【００１８】
また、こうして組立てられたかごは、コントローラボックス１６が上部フレーム１５と一体化されるため、かご室１２の上面に大きなフリースペースができる。このため、かご室１２の上面に対するコントローラボックス１６以外の他の部品の配置が容易になると共に、保守・点検作業時に作業者の足場となるスペースを大きく確保することができる。
【００１９】
さらに、この実施形態のように上部フレーム１５をドア開閉部側に偏寄させて配置した場合には、コントローラボックス１６内の制御盤とドア開閉機構の電動機との配線が短くなり、ボックス１６内の制御盤２１と電動機の間をコネクタを介在させることなく直接接続することが可能となる。したがって、コネクタを収容するジャンクションボックスをかご室１２の上面に設置する必要がなくなり、その分かご室１２の上面をさらに広く有効利用することができる。また、この効果に加え、制御盤と電動機の間の配線が短くなることから、不要輻射と呼ばれるエレベータ内外の各機器に影響を及ぼす電磁波の発生を少なくすることができる。したがって、不要輻射対策としてホームエレベータ等において行っていたシールド線の貼着等を無くし、製造コストを削減することもできる。
【００２０】
ところで、以上ではコントローラボックス１６の本体部１７にガイドシュー１８を設け、そのガイドシュー１８を上部フレーム１５側のガイドチャンネル１９に摺動自在に係合させたが、図４に示すように、ガイドチャンネル１９内にローラ２２を設置し、そのローラ２２によって本体部１７側のガイド片２３を転動自在に案内するようにしても良い。この場合、本体部１７の開閉がより良好になり、保守・点検作業をより容易に行うことが可能になる。
【００２１】
また、図５は、コントローラボックス１６の本体部１１７を上部フレーム１５の下面側にスライド機構を介さずに取り付けるようにしたさらに別の実施形態を示すものである。この実施形態の場合、コントローラボックス１６の本体部１１７は、側部フレーム１３，１４の間隔とほぼ同じ長さに形成され、本体部１１７の両側部の端部壁２４が側部フレーム１３，１４の上端部にボルト止めされている。
【００２２】
この実施形態の場合も、上記の実施形態とほぼ同様の効果を得ることができるが、制御盤の点検・作業時には、本体部１１７を側部フレーム１３，２４に止めているボルトを外すことによって本体部１１７を上部フレーム１５の下面から取り外すことができる。
【００２３】
尚、この実施形態の場合、さらにコントローラボックス１６の本体部１１７を上部フレーム１５にボルト結合する等によって、本体部１１７と上部フレーム１５を剛的に結合するようにすれば、上部フレーム１５が完全な閉断面構造（ボックス構造）とされるため、強度を必要とされる上部フレーム１５を、部品点数の増加や断面形状の複雑化を招くことなくより強固なものとすることができる。つまり、上部フレーム１５は非常時の大きな突き上げ荷重をバンパを介して受け止める必要があるために、通常、他部材による補強や断面形状の工夫等の対策を行わなければならないが、上記の構成を採用することにより、このような特別な対策ことを行うことなく上部フレーム１５の強度アップを簡単に図ることができる。
【００２４】
また、以上では上部フレーム１５の下面側にコントローラボックス１６の本体部１７（１１７）を取り付けた例について説明したが、コントローラボックス１６の本体部１７（１１７）は上部フレーム１５の上面側に取り付けることも可能である。ただし、上記の各実施形態のようにコントローラボックス１６の本体部１７（１１７）を上部フレーム１５の下面側に取り付けるようにした場合には、強度部材である上部フレーム１５によって本体部１７（１１７）の上面側（制御盤の上面側）を完全に覆うことができるため、上方側から大きな荷重が加わったときに制御盤に被害が及ぶ不具合を確実に防止することができる。
【００２５】
【発明の効果】
以上のように、この出願の発明は、コントローラボックスを上部フレームと一体化して、上部フレームがコントローラボックスの壁の一部を成すようにしたため、コントローラボックスをかご室の上面に別途取り付ける行程を無くして組付作業効率を高めることができ、しかも、コントローラボックス設置用の専用スペースをかご室の上面に確保する必要が無くなることから、かご室の上面の部品配置の自由度の拡大と、保守・点検時の足場の確保を図ることができる。
【００２６】
また、この出願の発明においては、上部フレームがコントローラボックスの壁の一部を成すため、両者で必要とする板金材料を少なくして材料コストの削減とかご全体の軽量化を図ることができる。
【００２７】
さらに、この出願の発明にあっては、かご室の上面側においてコントローラボックスを上部フレームと一体化したことから、上部フレームの設置位置と昇降路上部のオーバーヘッドビーム（昇降ロープを吊り下げ支持する滑車を設置する梁）の位置をオフセットさせることで、かごが最上昇したときにおける、かご室の上面側とオーバーヘッドビーム部分との最近接距離を充分に確保することができる。したがって、従来と同様の最近接距離とするのであれば昇降路の高さを確実に低くし、昇降路の小型化を図ることができる。
【図面の簡単な説明】
【図１】この出願の発明の一実施形態を示す斜視図。
【図２】同実施形態の組付状態を示す斜視図。
【図３】同実施形態を示す側面図。
【図４】この出願の発明の別の実施形態の組付状態を示す斜視図。
【図５】この出願の発明のさらに別の実施形態の組付状態を示す分解斜視図。
【図６】従来の技術を示す斜視図。
【図７】同技術を示す側面図。
【符号の説明】
１１…かご枠
１２…かご室
１３，１４…側部フレーム
１５…上部フレーム
１６…コントローラボックス
１７，１１７…本体部
【図１】
2004083146.tif 000003
【図２】
2004083146.tif 000004
【図３】
2004083146.tif 000005
【図４】
2004083146.tif 000006
【図５】
2004083146.tif 000007
【図６】
2004083146.tif 000008
【図７】
2004083146.tif 000009